(57)【要約】【課題】  煩雑な事前準備を必要とせず、また煩雑なＩＤ等の入力を必要とせず、複数ユーザによる筆記内容をその筆記者を区別して記録可能な筆記内容記録システム及び筆記内容記録方法を提供すること。【解決手段】  筆記具を持つユーザの特徴情報を取得するユーザ認識部２８と、前記筆記具による筆記内容を取得するペン先位置算出部３０と、前記筆記具を持つユーザの特徴情報と、該ユーザの前記筆記具による筆記内容と、を関連付けて記録するデータ記憶部３４と、を含むことを特徴とする。【選択図】        図６
2007080076.tif 000002
【特許請求の範囲】
【請求項１】
筆記具を持つユーザの特徴情報を取得する特徴情報取得手段と、
前記筆記具による筆記内容を取得する筆記内容取得手段と、
前記筆記具を持つユーザの特徴情報と、該ユーザの前記筆記具による筆記内容と、を関連付けられるようにして記録する筆記内容記録手段と、
を含むことを特徴とする筆記内容記録システム。
【請求項２】
請求項１に記載の筆記内容記録システムにおいて、
前記特徴情報取得手段は、前記筆記具に備えられ、該筆記具を持つユーザの指紋を検出する指紋センサを含み、該指紋センサにより検出されるユーザの指紋を示す情報を前記筆記具を持つユーザの特徴情報として取得する、
ことを特徴とする筆記内容記録システム。
【請求項３】
請求項１に記載の筆記内容記録システムにおいて、
前記特徴情報取得手段は、前記筆記具によるユーザの筆跡を示す情報を前記筆記具を持つユーザの特徴情報として取得する、
ことを特徴とする筆記内容記録システム。
【請求項４】
請求項１乃至３のいずれかに記載の筆記内容記録システムにおいて、
前記筆記内容記録手段は、特徴情報が既に前記筆記内容記録手段に記録されたユーザの特徴情報が前記特徴情報取得手段により取得される場合に、該記録済みの特徴情報に関連づけられるようにして、前記筆記具による筆記内容をさらに記録する、
ことを特徴とする筆記内容記録システム。
【請求項５】
請求項１乃至４のいずれかに記載の筆記内容記録システムにおいて、
前記筆記内容記録手段は、所定条件下、前記筆記具を持つユーザの特徴情報に依らず、該筆記具による筆記内容を所定のユーザの特徴情報に関連づけられるようにして記録する、
ことを特徴とする筆記内容記録システム。
【請求項６】
請求項１乃至５のいずれかに記載の筆記内容記録システムにおいて、
前記筆記具により所定図形が筆記されたか否かを判定する判定手段をさらに含み、
前記筆記内容記録手段は、前記判定手段により前記所定図形が筆記されたと判定される場合に、該所定図形によって特定される筆記内容群を相互に関連づけられるようにして記録する、
ことを特徴とする筆記内容記録システム。
【請求項７】
ユーザの筆記内容を取得する筆記内容取得手段と、
前記ユーザにより所定図形が筆記されたか否かを判定する判定手段と、
前記判定手段により前記所定図形が筆記されたと判定される場合に、該所定図形によって特定される筆記内容群を相互に関連づけられるようにして記録する筆記内容記録手段と、
を含むことを特徴とする筆記内容記録システム。
【請求項８】
筆記具を持つユーザの特徴情報を取得する特徴情報取得ステップと、
前記筆記具による筆記内容を取得する筆記内容取得ステップと、
前記筆記具を持つユーザの特徴情報と、該ユーザの前記筆記具による筆記内容と、を関連付けられるようにして記録する筆記内容記録ステップと、
を含むことを特徴とする筆記内容記録方法。
【請求項９】
ユーザの筆記内容を取得する筆記内容取得ステップと、
前記ユーザにより所定図形が筆記されたか否かを判定する判定ステップと、
前記判定ステップで前記所定図形が筆記されたと判定される場合に、該所定図形によって特定される筆記内容群を相互に関連づけられるようにして記録する筆記内容記録ステップと、
を含むことを特徴とする筆記内容記録方法。
【発明の詳細な説明】
【技術分野】
【０００１】
本発明は筆記内容記録システム及び筆記内容記録方法に関し、特に複数のユーザの筆記内容を筆記者を区別して記録する筆記内容記録システム及び筆記内容記録方法に関する。
【背景技術】
【０００２】
複数の会議参加者が文字や図形を電子黒板に思い思いに書き込みながら、それにより会議参加者のアイデアを共有することがしばしば行われる。このような会議方法によれば、議題に対する会議参加者の共通イメージを効率的に形成することができるようになる。このようにして電子黒板に書き込まれた内容は、必要に応じて、電子的に記録されたり、或いは紙等の記録媒体に印刷出力されたりする。
【０００３】
しかしながら、筆記内容の全体が電子的に記録されたり、或いは記録媒体に印刷出力されたりしても、どの部分を誰が書き込んだかをそこから判断することは、決して容易ではない。この点、下記特許文献１には、ＰＤＡのタッチパネルに対する筆跡を元にユーザ認証を行って、それによりＰＤＡへログインを許可する技術が開示されており、この技術を適用して、各会議参加者の筆記内容を区別する構成が一応考えられる。
【特許文献１】特開平１０−２５４６１５号公報
【発明の開示】
【発明が解決しようとする課題】
【０００４】
しかしながら、上記構成では、各会議参加者が予め自分の筆跡を入力して、システムにログインしておく必要があるし、電子黒板に文字や図形を書き込む度に、自分を識別するＩＤ等の情報をシステムに入力する必要もあり、実用性に乏しい。
【０００５】
本発明は上記課題に鑑みてなされたものであって、その目的は、煩雑な事前準備を必要とせず、また煩雑なＩＤ等の入力を必要とせず、複数ユーザによる筆記内容をその筆記者を区別して記録可能な筆記内容記録システム及び筆記内容記録方法を提供することにある。また、他の目的は、筆記内容を容易にグループ化して記録することができる筆記内容記録システム及び筆記内容記録方法を提供することにある。
【課題を解決するための手段】
【０００６】
上記課題を解決するために、本発明に係る筆記内容記録システムは、筆記具を持つユーザの特徴情報を取得する特徴情報取得手段と、前記筆記具による筆記内容を取得する筆記内容取得手段と、前記筆記具を持つユーザの特徴情報と、該ユーザの前記筆記具による筆記内容と、を関連付けられるようにして記録する筆記内容記録手段と、を含むことを特徴とする。
【０００７】
また、本発明に係る筆記内容記録方法は、筆記具を持つユーザの特徴情報を取得する特徴情報取得ステップと、前記筆記具による筆記内容を取得する筆記内容取得ステップと、前記筆記具を持つユーザの特徴情報と、該ユーザの前記筆記具による筆記内容と、を関連付けられるようにして記録する筆記内容記録ステップと、を含むことを特徴とする。
【０００８】
本発明では、筆記具を持つユーザの特徴情報が取得され、また、筆記具による筆記内容が取得される。ユーザの特徴情報は、例えばユーザの指紋や筆跡等を示す情報であってよい。そして、筆記具による筆記内容は、その筆記具を持つユーザの特徴情報と関連づけられるようにして記録される。本発明によれば、煩雑な事前準備を必要とせず、また煩雑なＩＤ等の入力を必要とせず、複数ユーザによる筆記内容をその筆記者を区別して記録することが可能となる。
【０００９】
本発明の一態様では、前記特徴情報取得手段は、前記筆記具に備えられ、該筆記具を持つユーザの指紋を検出する指紋センサを含み、該指紋センサにより検出されるユーザの指紋を示す情報を前記筆記具を持つユーザの特徴情報として取得する。こうすれば、極めて簡単にユーザの特徴情報を取得できる。
【００１０】
また、本発明の一態様では、前記特徴情報取得手段は、前記筆記具によるユーザの筆跡を示す情報を前記筆記具を持つユーザの特徴情報として取得する。こうすれば、特別の装置を用いなくても、ユーザの特徴情報を簡易に取得できる。
【００１１】
また、本発明の一態様では、前記筆記内容記録手段は、特徴情報が既に前記筆記内容記録手段に記録されたユーザの特徴情報が前記特徴情報取得手段により取得される場合に、該記録済みの特徴情報に関連づけられるようにして、前記筆記具による筆記内容をさらに記録する。こうすれば、同じユーザが何度も筆記した場合に、それらの内容を相互に関連づけられるようにして記録しておくことができる。
【００１２】
また、本発明の一態様では、前記筆記内容記録手段は、所定条件下、前記筆記具を持つユーザの特徴情報に依らず、該筆記具による筆記内容を所定のユーザの特徴情報に関連づけられるようにして記録する。こうすれば、所定のユーザの特徴情報に関連づけられるようにして、他のユーザの記述内容を記録することができる。なお、所定条件は、例えば所定の操作がなされたとの条件である。
【００１３】
また、本発明の一態様では、前記筆記具により所定図形が筆記されたか否かを判定する判定手段をさらに含み、前記筆記内容記録手段は、前記判定手段により前記所定図形が筆記されたと判定される場合に、該所定図形によって特定される筆記内容群を相互に関連づけられるようにして記録する。こうすれば、所定図形を記述するだけで、筆記内容を容易にグループ化して記録することができる。
【００１４】
また、本発明に係る筆記内容記録システムは、ユーザの筆記内容を取得する筆記内容取得手段と、前記ユーザにより所定図形が筆記されたか否かを判定する判定手段と、前記判定手段により前記所定図形が筆記されたと判定される場合に、該所定図形によって特定される筆記内容群を相互に関連づけられるようにして記録する筆記内容記録手段と、を含むことを特徴とする。
【００１５】
また、本発明に係る筆記内容記録方法は、ユーザの筆記内容を取得する筆記内容取得ステップと、前記ユーザにより所定図形が筆記されたか否かを判定する判定ステップと、前記判定ステップで前記所定図形が筆記されたと判定される場合に、該所定図形によって特定される筆記内容群を相互に関連づけられるようにして記録する筆記内容記録ステップと、を含むことを特徴とする。
【００１６】
本発明によれば、所定図形を記述するだけで、筆記内容を容易にグループ化して記録することができる。
【発明を実施するための最良の形態】
【００１７】
以下、本発明の実施形態について図面に基づき詳細に説明する。
【００１８】
図１は、本発明の一実施形態に係る筆記内容記録システムの外観を示す図である。同図に示すように、この筆記内容記録システム１０は、一対の脚１９によって床面に対して略垂直に立つよう支持される平板状のホワイトボード１２を含んでおり、このホワイトボード１２に対して、ユーザは筆記ペン１４を用いて任意の記述１６を行うことができるようになっている。すなわち、ホワイトボード１２は、インクが染みこまない樹脂等の材質により形成されており、筆記ペン１４のペン先から出るインクにより、ユーザは任意の記述１６をホワイトボード１２に行うことができる。筆記ペン１４は、超音波及び赤外線信号を発するようになっており、ホワイトボード１２の右上隅には、これらを受信する受信モジュール１８が取り付けられている。なお、受信モジュール１８はホワイトボード１２の周縁部であれば、どこに取り付けられてもよい。
【００１９】
ホワイトボード１２の下部には記録ボックス２０が備えられており、この記録ボックス２０には受信モジュール１８が接続されるとともに、前面にはメディア挿入口２０ａが設けられている。受信モジュール１８は、筆記ペン１４から超音波及び赤外線信号を受信し、それを記録ボックス２０に転送するようになっている。そして、記録ボックス２０では、それらからホワイトボード１２の筆記内容を示す画像データを生成し、それを保存するようになっている。こうした保存内容は、適宜、メディア挿入口２０ａに挿入された各種記録メディアに書き込むことができる。
【００２０】
図２は、筆記ペン１４の構成を示す図である。同図に示すように、筆記ペン１４はホワイトボード筆記用のインクペン１４ｄを内蔵しており、その先端が筆記ペン１４の先端から露呈している。インクペン１４ｄの頭部には感圧センサ１４ｅが設けられており、インクペン１４ｄの先端がホワイトボード１２に押しつけられ、ホワイトボード１２に対して筆記が行われると、インクペン１４ｄの頭部が感圧センサ１４ｅを押圧する。感圧センサ１４ｅが押圧されると、それにより赤外線発信部１４ｂから赤外線信号が発せられるとともに、超音波発振部１４ｃから超音波が発せられるようになっている。ここでは、赤外線信号により、インクペン１４ｄの色を示すデータ、及び後述する筆記者の指紋データが送信されるようになっている。
【００２１】
すなわち、筆記ペン１４における、ユーザが該筆記ペン１４を握ったときにその人差し指が触れる位置には、タッチ式指紋センサ１４ａが取り付けられている。このタッチ式指紋センサ１４ａにより検出されるユーザの指紋を示す指紋データは、上記の赤外線発信部１４ｂから、受信モジュール１８の赤外線信号受信部１８ｃを介して記録ボックス２０に、インクペン１４ｄの色を示すデータとともに伝達されるようになっている。
【００２２】
また、受信モジュール１８は、ホワイトボード１２の筆記面から等しい距離だけ離間した位置に、相互に離間して配置された超音波受信部１８ａ，１８ｂを備えている。筆記ペン１４の超音波発振部１４ｃから発せられた超音波は、これら超音波受信部１８ａ，１８ｂにより受信される。そして、それらの受信タイミングに基づき、いわゆる三点測量の原理から筆記ペン１４のペン先の位置が、記録ボックス２０において算出されるようになっている。
【００２３】
この筆記内容記録システム１０では、上記のように筆記ペン１４にタッチ式指紋センサ１４ａが備えられており、筆記者の識別が可能である。そこで記録ボックス２０では、筆記者による筆記ペン１４を用いた筆記内容を、その筆記者を区別して記録するようにしている。さらに、ホワイトボード１２に星形や四角等の特定図形を描いた場合には、それに関連して記述された内容を、グループ化して記録するようにしている。
【００２４】
すなわち、図３に示すように、ホワイトボード１２に対して、ユーザＡにより記述Ａ１，Ａ２，Ａ３，Ａ４が行われ、ユーザＢにより記述Ｂ１，Ｂ２，Ｂ３，Ｂ４が行われた場合、まず記述Ａ１，Ａ２，Ａ３，Ａ４と、記述Ｂ１，Ｂ２，Ｂ３，Ｂ４と、は区別して記録される。さらに、ユーザＡは、記述Ａ２，Ａ３に星図形（特定図形１）を含めており、これら記述Ａ２，Ａ３は他と区別して記録される。同様に、ユーザＢは、記述Ｂ２に四角図形（特定図形２）を含めており、この記述Ｂ２は、他と区別して記録される。また、ユーザＢは、記述Ｂ３に星図形を含めており、この記述Ｂ３も、他と区別して記録される。
【００２５】
すなわち、以上のようにしてホワイトボード１２に対して、２人のユーザが筆記ペン１４を用いて記述すると、図４（ａ）に示すように、ユーザＡが特定画像を含めずに記述した内容を示す画像データ１（図３の記述Ａ１及びＡ４を示す）、同図（ｂ）に示すように、ユーザＡが星図形の側に記述した内容を示す画像データ２（図３の記述Ａ２及びＡ３を示す）、同図（ｃ）に示すように、ユーザＢが特定画像を含めずに記述した内容を示す画像データ３（図３の記述Ｂ１及びＢ４を示す）、同図（ｄ）に示すように、ユーザＢが四角図形の側に記述した内容画像データ４（図３の記述Ｂ２を示す）、同図（ｅ）に示すように、ユーザＢが星図形の側に記述した内容を示す画像データ５（図３の記述Ｂ３を示す）が生成され、互いに区別して記録される。特に、この記述内容記録システム１０では、画像データ１及び２は、ユーザＡの指紋の特徴情報に関連づけて、ひいてはユーザＡに関連づけて記録される。特に、画像データ２は、特定画像の１つである星図形に関連づけて記録される。また、画像データ３乃至５は、ユーザＢの指紋の特徴情報に関連づけて、ひいてはユーザＢに関連づけて記録される。特に、画像データ４は、特定画像の１つである四角図形に関連づけて記録され、画像データ５は、特定画像の１つである星図形に関連づけて記録される。こうして記録される画像データ１乃至５は、その全部又はユーザにより指定された一部が重畳表示される。すなわち、これら画像データ１乃至５は、画像処理ソフトウェアによりレイヤ画像データとして扱われる。図５は、画像データ１乃至５の関係を示す図であり、画像データ１及び画像データ２は、いずれもユーザＡに関するレイヤの画像データであり、特に画像データ２は、そのサブレイヤである星レイヤの画像データである。また、画像データ３乃至画像データ５は、いずれもユーザＢに関するレイヤの画像データであり、特に画像データ４は、その１つのサブレイヤである四角レイヤの画像データである。また、画像データ５は、他の１つのサブレイヤである星レイヤの画像データである。
【００２６】
以下、以上のようにして記述内容の記録処理を行う記録ボックス２０について、さらに詳細に説明する。図６は、記録ボックス２０の機能ブロック図である。記録ボックス２０は、ＣＰＵやメモリを中心として構成された公知のコンピュータを含んで構成されており、本発明の実施形態に係る制御ソフトウェアを実行することにより、同図に示すように、赤外線信号入力部２２、ペン色判断部２６、ユーザ認識部２８、超音波受信タイミング取得部２４、ペン先位置算出部３０、画像データ格納部３２、特定図形検知部３６、データ記憶部３４の各機能が実現される。データ記憶部３４には、特徴情報データベース３４ａと、画像データベース３４ｂとが含まれている。
【００２７】
ここで、赤外線信号入力部２２には、受信モジュール１８の赤外線受信部１８ｃにより受信された、筆記ペン１４から発信される赤外線信号が入力される。赤外線信号には、指紋データと、ペン色を示す色データと、が含まれており、指紋データはユーザ認識部２８に供給され、色データはペン色判断部２６に供給される。また、赤外線信号の受信開始タイミングは、ペン先位置算出部３０に供給されている。筆記ペン１４からは、赤外線信号の発信と同時に、超音波信号も発信されており、超音波信号の方は、その受信モジュール１８の各超音波受信部１８ａ，１８ｂにおける受信タイミングが超音波受信タイミング取得部２４により取得されるようになっている。ペン先位置算出部３０では、赤外線信号の受信開始タイミングから、各超音波受信部１８ａ，１８ｂにおける超音波の受信タイミングまでの各時間を計測し、そこから各超音波受信部１８ａ，１８ｂから筆記ペン１４のペン先位置までの距離を算出する。そして、そこから、ホワイトボード１２における筆記ペン１４のペン先位置の座標を算出する。この処理は、所定時間毎に行われ、画像データ格納部３２には、所定時間毎の筆記ペン１４のペン先位置の座標が、ペン色を示す色データとともに供給されるようになっている。
【００２８】
ユーザ認識部２８では、赤外線信号に含まれる指紋データから、ユーザの指紋の特徴情報、例えば指紋の大きさ、指紋の渦のタイプ、渦の中心位置等を示すデータを生成する。特徴情報データベース３４ａには、図７に示すように、ユーザ認識部２８で生成される特徴情報と、その特徴情報に対応する指紋を有するユーザのユーザ名（例えばユーザ認識部２８における特徴情報の認識順を示す番号等である。）と、を関連づけて記憶するものである。ユーザ認識部２８では、生成した特徴情報と同一又は類似の特徴情報が特徴情報データベース３４ａに既に記憶されているか否かを判断する。そして、既に記憶されていれば、その特徴情報に関連づけて記憶されたユーザ名を画像データ格納部３２に供給する。また、未だ記憶されていなければ、生成された特徴情報に新たな（未だ特徴情報が関連づけられていない）ユーザ名を割付け、それらを関連づけて特徴情報データベース３４ａに記憶する。そして、その新たなユーザ名を画像データ格納部３２に供給する。
【００２９】
ペン先位置算出部３０により所定時間毎に算出される、筆記ペン１４のペン先位置の座標は、特定図形検知部３６にも供給されている。特定図形検知部３６では、所定時間毎のペン先位置の座標、すなわち筆記ペン１４による筆記内容から、特定図形が記述されたか否かを監視している。特定図形は、例えば星図形や四角図形であり、特定図形が記述されたか否かは、例えば公知のパターンマッチングの技術により容易に判断可能である。そして、特定図形が記述された場合には、その特定図形を識別するデータを画像データ格納部３２に供給する。画像データ格納部３２は、ペン先位置算出部３０から供給される、ペン先位置の座標を時系列に並べてなるデータから、ユーザの筆記ペン１４による記述内容を示す画像データを生成する。この際、記述箇所の色は、ペン色判断部２６から供給される色データにより特定される色とする。そして、この画像データを、ユーザ認識部２８から供給されるユーザ名、及び特定図形検知部３６から供給される特定図形を識別するデータに関連づけて、画像データベース３４ｂに格納する。画像データベース３４ｂは、図８に示すように、ユーザ名と、レイヤと、画像データと、を関連づけて記憶するものであり、ユーザ名としてユーザ認識部２８から供給されるデータが、レイヤとして特定図形検知部３６から供給されるデータが、画像データとして上記のようにして生成される画像データが格納される。
【００３０】
以上説明したように、本実施形態によれば、記録ボックス２０において、筆記ペン１４を持つユーザの特徴情報が取得され、また、筆記ペン１４による筆記内容を示す画像データが取得される。そして、筆記ペン１４による筆記内容を示す画像データは、その筆記ペン１４を持つユーザの特徴情報と関連づけて記録される。本発明によれば、煩雑な事前準備を必要とせず、また煩雑なＩＤ等の入力を必要とせず、複数ユーザによる筆記内容をその筆記者を区別して記録することが可能となる。また、星図形や四角図形等の特定図形を記述するだけで、ユーザは、自分専用のサブレイヤを生成し、そこに筆記内容を記録することができる。
【００３１】
なお、本発明は上記実施形態に限定されるものではない。例えば、以上の説明ではユーザの特徴情報として指紋データを用いたが、ユーザの筆跡を示す筆跡データを用いてもよい。この場合、ホワイトボード１２に対するユーザの筆跡に基づいて筆跡データを得てもよいし、他の箇所に筆記ペン１４を用いて筆記させ、そこから筆跡データを得てもよい。
【図面の簡単な説明】
【００３２】
【図１】本発明の実施形態に係る筆記内容記録システムの外観を示す図である。
【図２】筆記ペンの構成を示す図である。
【図３】ホワイトボードの筆記内容の一例を示す図である。
【図４】記録される画像データ群を示す図である。
【図５】記録される画像データ群の関係（レイヤー構造）を示す図である。
【図６】記録ボックスの機能ブロック図である。
【図７】特徴情報データベースの構成図である。
【図８】画像データベースの構成図である。
【符号の説明】
【００３３】
１０  筆記内容記録システム、１２  ホワイトボード、１４  筆記ペン、１４ａ  タッチ式指紋センサ、１４ｂ  赤外線発信部、１４ｃ  超音波発振部、１４ｄ  インクペン、１４ｅ  感圧センサ、１６  記述、１８  受信モジュール、１８ａ，１８ｂ  超音波受信部、１８ｃ  赤外線受信部、１９  脚、２０  記録ボックス、２０ａ  メディア挿入口、２２  赤外線信号入力部、２４  超音波受信タイミング取得部、２６  ペン色判断部、２８  ユーザ認識部（特徴情報取得手段）、３０  ペン先位置算出部（記述内容取得手段）、３２  画像データ格納部、３４  データ記憶部、３４ａ  特徴情報、３４ｂ  画像データ（筆記内容記録手段）、３６  特定図形検知部。
【図１】
2007080076.tif 000003
【図２】
2007080076.tif 000004
【図３】
2007080076.tif 000005
【図４】
2007080076.tif 000006
【図５】
2007080076.tif 000007
【図６】
2007080076.tif 000008
【図７】
2007080076.tif 000009
【図８】
2007080076.tif 000010